(57)【要約】【課題】  従来のヘッドカバーはヘッドの番手表示と違う番手表示のヘッドカバーを被せるおそれがあり、使用クラブを間違える一因となる。【解決手段】  本発明のゴルフクラブ用ヘッドカバーは、ウッドクラブ、アイアンクラブのヘッドに被せるヘッドカバーにおいて、カバーの全部又は一部を外から内側を透視可能な透明又は半透明の部材で形成して、ヘッドカバーを被せたクラブヘッドの番手表示を外部から視認可能としたものである。ヘッド保護部とシャフト保護部を備えるヘッドカバーにおいても同様である。その場合、ヘッド保護部の下部の一部を横方向に伸縮可能なニット製とすることもできる。更に、シャフト保護部をニット製の細長筒状とし、下端のヘッド出入口に開閉部を形成し、開閉部を開くとニットの伸びによってヘッド出入口の口径が広がり、開閉部の開きを開放するとニットの縮みによってヘッド出入口の口径が自動的に小さくなるようにすることもできる。【選択図】図１
2007185520.tif 000002
【特許請求の範囲】
【請求項１】
ゴルフクラブのヘッドに被せるゴルフクラブ用ヘッドカバーにおいて、カバーの全部又は一部が外から内側を透視可能な透明又は半透明の部材で形成されて、ヘッドカバーを被せたクラブヘッドの番手表示を外部から視認可能としたことを特徴とするゴルフクラブ用ヘッドカバー。
【請求項２】
ゴルフクラブのヘッドに被せるヘッド保護部と、クラブヘッドに装着されているシャフトのヘッド装着部側に被せるシャフト保護部を備えるゴルフクラブ用ヘッドカバーにおいて、ヘッド保護部の全部又は一部が外から内側を透視可能な透明又は半透明の部材で形成されて、ヘッドカバーを被せたクラブヘッドの番手表示を外部から視認可能としたことを特徴とするゴルフクラブ用ヘッドカバー。
【請求項３】
ゴルフクラブのヘッドに被せるヘッド保護部と、クラブヘッドに装着されているシャフトのヘッド装着部側に被せるシャフト保護部を備えるゴルフクラブ用ヘッドカバーにおいて、ヘッド保護部は非伸縮性又は伸縮性に乏しい素材製であり、ヘッド保護部の下部の一部が横方向に伸縮可能なニット製であることを特徴とするゴルフクラブ用ヘッドカバー。
【請求項４】
ゴルフクラブのヘッドに被せるヘッド保護部と、クラブヘッドに装着されているシャフトのヘッド装着部側に被せるシャフト保護部を備えるゴルフクラブ用ヘッドカバーにおいて、ヘッド保護部は非伸縮性又は伸縮性に乏しい素材製であり、その全部又は一部がヘッドカバーを被せたクラブヘッドの番手表示を外部から視認可能な透明又は半透明の素材製であり、ヘッド保護部の下部の一部が横方向に伸縮可能なニット製であることを特徴とするゴルフクラブ用ヘッドカバー。
【請求項５】
請求項２乃至請求項４のいずれかに記載のゴルフクラブ用ヘッドカバーにおいて、シャフト保護部はニット製の細長筒状であって下端にヘッド出入口が開口され、ニット製のシャフト保護部の下部に前記ヘッド出入口に開口する開閉部が形成され、開閉部を開くとニットの伸びによってヘッド出入口の口径が広がり、開閉部の開きを開放するとニットの縮みによってヘッド出入口の口径が自動的に小さくなることを特徴とするゴルフクラブ用ヘッドカバー。
【発明の詳細な説明】
【技術分野】
【０００１】
本発明はゴルフクラブ用ヘッドカバー（以下「ヘッドカバー」と記す）に関する。
【背景技術】
【０００２】
ゴルフクラブ（以下「クラブ」と記す）には、ドライバーやフェアウェイウッドといったウッドクラブ、ユーティリティクラブ、アイアンクラブ、サンドウェッジ、パター等の各種クラブがある。それらクラブのクラブヘッド（以下「ヘッド」と記す）の底面、側面、先端部等には、クラブの飛距離や役割に応じて、「１」、「２」、「３」などの番手表示が刻まれている。ヘッドカバーは、前記ヘッドとそれに装着されているシャフトを保護するためのものであり、ヘッドに被せるヘッド保護部と、シャフトのヘッド装着部側に被せるシャフト保護部を備えるものである。
【０００３】
従来のヘッドカバーには特許文献１〜５のように種々のものがある。それらは、クラブの番手表示に対応した番手が刺繍されたり、番手が書かれたラベルが面テープ等によって脱着自在に貼付されたり、番手が書かれた札が脱着自在に取付けられたりしており、クラブの番手表示にヘッドカバーの番手表示をあわせている。
【０００４】
【特許文献１】米国特許６，３２１，８０５号公報
【特許文献２】日本国特開２００２−９５７７９号公報
【特許文献３】日本国特開２００３−２２５３３５号公報
【特許文献４】日本国特開平９−８４９１０号公報
【特許文献５】日本国実用新案登録第３０８２３６２号公報
【発明の開示】
【発明が解決しようとする課題】
【０００５】
前記従来のヘッドカバーには次の課題がある。
（１）男性用、女性用、ブランド別、メーカー別といったようにクラブの種類や、クラブの番手が増えると、ヘッドの数だけヘッドカバーを用意しなければならず、その製造管理と在庫管理に手間と費用がかかる。
（２）ヘッドに表示（刻印、印刷等）された番手と違う番手のヘッドカバーを誤ってヘッドに被せてしまうおそれがある。その場合はキャデイバックからクラブをプレーヤーが選択するにしてもキャディが選択するにしても、使用したい番手のクラブと違う番手のクラブを選択してしまい、プレーヤーのミスショットの一因となることがある。
（３）ヘッド保護部はヘッド全体を被覆するため、ヘッドカバーを外さない限りクラブの番手表示を確認することができず、クラブの番手確認が面倒であった。
【０００６】
本発明は、ウッドクラブは勿論のこと、アイアンクラブやユーティリティクラブといったあらゆるクラブに使用できるゴルフクラブ用ヘッドカバーであり、どの番手のクラブヘッドにも被せて使用（共通使用）でき、且つ、ヘッドカバーを取外すことなくクラブの番手を確認できるゴルフクラブ用ヘッドカバーを提供するものである。
【０００７】
本件出願の請求項１記載のゴルフクラブ用ヘッドカバーは、ゴルフクラブのヘッドに被せるゴルフクラブ用ヘッドカバーにおいて、カバーの全部又は一部を外から内側を透視可能な透明又は半透明の部材で形成して、ヘッドカバーを被せたクラブヘッドの番手表示を外部から視認可能としたものである。
【０００８】
本件出願の請求項２記載のゴルフクラブ用ヘッドカバーは、ゴルフクラブのヘッドに被せるヘッド保護部と、クラブヘッドに装着されているシャフトのヘッド装着部側に被せるシャフト保護部を備えるゴルフクラブ用ヘッドカバーにおいて、ヘッド保護部の全部又は一部を外から内側を透視可能な透明又は半透明の部材で形成して、ヘッドカバーを被せたクラブヘッドの番手表示を外部から視認可能としたものである。
【０００９】
本件出願の請求項３記載のゴルフクラブ用ヘッドカバーは、ゴルフクラブのヘッドに被せるヘッド保護部と、クラブヘッドに装着されているシャフトのヘッド装着部側に被せるシャフト保護部を備えるゴルフクラブ用ヘッドカバーにおいて、ヘッド保護部は非伸縮性又は伸縮性に乏しい素材製であり、ヘッド保護部の下部の一部が横方向に伸縮可能なニット製であることを特徴とするものである。この場合、請求項４記載のように、ヘッド保護部を非伸縮性又は伸縮性に乏しい素材製とし、その全部又は一部を、ヘッドカバーを被せたクラブヘッドの番手表示を外部から視認可能な透明又は半透明の素材製とし、ヘッド保護部の下部の一部を横方向に伸縮可能なニット製とすることもできる。
【００１０】
本件出願の請求項５記載のゴルフクラブ用ヘッドカバーは、請求項２乃至請求項４記載のいずれかのゴルフクラブ用ヘッドカバーにおいて、シャフト保護部をニット製の細長筒状とし、その下端にヘッド出入口を開口し、ニット製のシャフト保護部の下部に前記ヘッド出入口に開口する開閉部を形成し、開閉部を開くとニットの伸びによってヘッド出入口の口径が広がり、開閉部の開きを開放するとニットの縮みによってヘッド出入口の口径が自動的に小さくなるようにしたものである。
【発明の効果】
【００１１】
本発明の請求項１、２記載のゴルフクラブ用ヘッドカバーは次の効果がある。
（１）ヘッドに表示されている番手数字をヘッドカバーの外部から視認可能であるため、ヘッドカバーに刺繍されている数字や、ヘッドカバーに取り付けてあるラベルの数字を手掛かりにしてクラブを探し出す必要がなく、面倒が無い。
（２）ヘッドカバーに番手数字を表示する必要がないため、ヘッドカバーを番手別に用意する必要がなく、ヘッドカバーの製造管理、在庫管理が容易になる。
（３）クラブヘッドの番手確認のために一々ヘッドカバーを外す必要がなく、確認が容易である。そのためプレーヤーへのキャディによるクラブの渡し間違い等もなくなり、クラブ間違いによるミスショットも防止できる。
【００１２】
本発明の請求項３記載のゴルフクラブ用ヘッドカバーは次のような効果がある。
（１）ヘッド保護部が非伸縮性又は伸縮性に乏しい素材製であるため型崩れしにくい。
（２）ヘッド保護部の下部の一部を横方向に伸縮可能なニット製としたため、ヘッド保護部が非伸縮性又は伸縮性に乏しい素材製であってもヘッド保護部の下部が横に広がってヘッドへの着脱が容易になる。
【００１３】
本発明の請求項４記載のゴルフクラブ用ヘッドカバーは、ヘッドに表示されている番手数字をヘッドカバーの外部から視認可能であり、しかも、非伸縮性又は伸縮性に乏しい素材製のヘッド保護部の下部の一部が横方向に伸縮可能なニット製であるため次のような効果がある。
（１）ヘッド保護部が型崩れしにくく、長持ちする。
（２）ヘッド保護部が非伸縮性又は伸縮性に乏しい素材製であってもヘッドへの着脱が容易になる。
（３）ヘッドカバーに刺繍されている数字やヘッドカバーに取り付けてあるラベルの数字を手掛かりにしてクラブを探し出す必要がなく面倒が無い。
（４）ヘッドカバーを番手別に用意する必要がないためヘッドカバーの製造管理、在庫管理が容易になる。
（５）クラブヘッドの番手確認のために一々ヘッドカバーを外す必要がなく、確認が容易である。そのためプレーヤーへのキャディによるクラブの渡し間違い等もなくなり、クラブ間違いによるミスショットも防止できる。
【００１４】
本発明の請求項５記載のゴルフクラブ用ヘッドカバーは、ニット製の細長筒状のシャフト保護部の下端にヘッド出入口が開口され、シャフト保護部の下部にヘッド出入口に開口する開閉部が形成されているので次のような効果がある。
（１）開閉部を開くとニットの伸びによってヘッド出入口の口径が広がり、開閉部の開きを開放するとニットの縮みによってヘッド出入口の口径が自動的に小さくなり、ヘッドに被せ易い。
（２）ニット製のシャフト保護部が細長筒状であるため体裁が良い。また、止め具が不要であるため構造がシンプルであって体裁が良い。また、止め具を開いたり閉じたりする必要がないため使い易い。
【発明を実施するための最良の形態】
【００１５】
（実施形態１）
本発明のゴルフクラブ用ヘッドカバーの実施形態の一例を、図面を参照して詳細に説明する。本発明のゴルフクラブ用ヘッドカバーはドライバーやフェアウェイウッド等のウッドクラブ、ユーティリティクラブ、アイアンクラブ、パター等のいずれのゴルフクラブにも使用可能なものであるが、図示したヘッドカバーはドライバーやフェアウェイウッド用のものである。図１に示すヘッドカバーは、図２に示すようにウッドクラブのヘッド１とそれに装着されているシャフト２に被せてそれらを保護するためのものであり、ヘッド１を保護するヘッド保護部３と、ヘッド１に装着されているシャフト２の装着部４付近を保護するシャフト保護部５を備えるものである。
【００１６】
ヘッド保護部３の上面部６と両側面部７は、例えば布、合成皮革等の非伸縮性の材質製又は伸縮性に乏しく型崩れしにくい材質製とし、ヘッド保護部３の内側部（ヘッドに被せたときにヘッドの上面側になる部分）８はニット製としてある。図１、図２ではヘッド保護部３の上面部６のほぼ全面が透明な楕円形の窓９とされ、ヘッド保護部３を被せたクラブヘッドの番手表示（図２では３の数字）１０を外部から視認できるようにしてある。この窓９には、例えばアクリル、ビニール、その他の任意材質の透明或いは半透明な素材とかメッシュ等、任意の部材製とすることができる。前記窓９はその外周縁部をヘッド保護部３の上面部６及び両側面部７に夫々縫い付けたり接着したりして取付けられている。ヘッド保護部３は上面部６、両側面部７、内側部８の全てを同じ材質、例えば型崩れしにくい材質、伸縮性に優れた材質（例えばニット）、他の材質で製造することもできる。ヘッド保護部３の形状、サイズ等は、被せるヘッド１の形状、サイズに拘らず共通とすることも、被せるヘッド１の形状、サイズに合わせて変えることもできる。
【００１７】
本発明のヘッドカバーのヘッド保護部３の窓９の形状、サイズは、前記のものには限られず、収容するヘッド１のサイズ、形状、刻まれている番手表示１０の位置等に応じて任意の形状、サイズとすることができる。従って、例えば番手表示１０がヘッド１の底面１７（図２）の先端寄り位置に表示されている場合は図３に示すようにヘッド保護部３の上面部６の先端部寄りに半楕円形の窓９を形成したり、番手表示１０がヘッド１の底面１７（図４）の先端面に表示されている場合はヘッド保護部３の先端部１９に窓９を形成したりすることもできる。窓９は図５、図６に示すようにヘッド保護部３のうちクラブの番手表示（図５，６では７の数字）１０に対応する箇所のみに局部的に形成したものとすることもできる。また、本発明のヘッド保護部３は前記各例のようにヘッド保護部３の一部に窓９を形成するのではなく、ヘッド１の番手表示１０を外部から視認可能であれば任意の構成とすることもでき、例えば、ヘッド保護部３全体を透明又は半透明としたり（図示しない）、上面部６全体や両側面部７全体を透明又は半透明としたりする（図示しない）こともできる。また、窓９は、ヘッド１の番手表示１０のみならず、ヘッド１の底面１７に表示されているメーカー名等をも透視可能な広さ（大きさ）にすることも可能である。
【００１８】
図１〜図６のシャフト保護部５はニット製であり、内径がシャフト２の外径よりも多少大きい細長筒状に編まれており、下端にヘッド１に被せたりヘッド１を取り出したりするヘッド出入口１１が開口されている。シャフト保護部５の上端部１２は前記ヘッド保護部３の筒状の下端部１３に縫い付けて連結してある。シャフト保護部５の下部は内側上方に折り返し、折り返し部分の上縁１４をシャフト保護部５に縫い付けて二重にしてある。二重にすることにより下部が補強され、開閉部１５を形成しても、長期間使用しても型崩れしにくく、伸縮性が損なわれにくくなる。下部はシャフト保護部５の外側に折り返して二重にすることもできる。このシャフト保護部５はニット製には限られず、伸縮性のある他の部材製としたり、ヘッド保護部３と同じ材質製としたりすることもできる。
【００１９】
シャフト保護部５の下部にはヘッド出入口１１に連通する開閉部１５を設け、開閉部１５の両側を手で開くとニットの伸び特性によってヘッド出入口１１の口径が広がり、ヘッド１に被せてから開閉部１５から手を離すとニットの縮み特性によって開閉部１５の口径が自動的に小さくなる（戻る）ようにしてある。この場合は開閉部１５を閉じるための面ファスナー、ファスナー、磁石、紐等の止め具は必要ない。
【００２０】
（実施形態２）
本発明のヘッドカバーの他の実施形態を図７（ａ）（ｂ）に基づいて説明する。このヘッドカバーはヘッド１に被せてヘッド１を保護するヘッド保護部３と、そのヘッド１に装着されているシャフト２の装着部４側に被せて装着部４付近を保護するシャフト保護部５を備えていることにおいても前記実施形態のヘッドカバーと基本的に同様であり、異なるのは、ヘッド保護部３の下部（シャフト保護部５との境界部分）の一部を横に伸縮可能なニット製として伸縮部２１を形成したことである。
【００２１】
伸縮部２１は図７（ａ）に示すようにニット製のシャフト保護部５の上端部分を上方へ略三角形に延長して形成してある。伸縮部２１の形状はこれには限られず矩形、半円形、V字形等にすることができ、シャフト保護部５とは別に形成することもできる。伸縮部２１はニット製に限られず伸縮性のある他の任意の材質製とすることもできる。この伸縮部２１を設けることでヘッド保護部３が非伸縮性或いは伸縮性に乏しい材質製であってもヘッド１に被せ易くなる。
【００２２】
図７（ｂ）のヘッド保護部３はその先端部１９を透明な部材製の窓９として、ヘッドカバーを被せたクラブの番手表示を外部から視認可能としている。窓９の形状、大きさ、形成位置はクラブの番手表示を外部から視認可能であれば特に制約なく形成可能である。この場合のヘッド保護部３は窓９のないものであってもよい。
【００２３】
図１〜図７のシャフト保護部５はニット製であり、図１〜図３のシャフト保護部５には開閉部１５が形成され、図４〜図７のシャフト保護部５には開閉部１５が形成されていない。図１〜図３の開閉部１５はシャフト保護部５を編み終えてからその下部にスリットを入れ、スリットの周縁の表裏両面にテープ状の補強材１６を宛がって糸で縫い付けて補強してある。補強材１６は縫い付けではなく接着剤で固定することもできる。開閉部１５はシャフト保護部５を編むときに自動的に形成されるようにすることもできる。その場合は開閉部１５の周縁は図８のように編んだままにしておいてもほつれないが、その周縁に図１〜図３のように補強材１６を縫い付けて補強するとか、補強材１６を宛がわずにシャフト保護部５の編み糸と同じ編み糸或は異なる編み糸で縁取りして補強することもできる。シャフト保護部５を編む糸には毛糸が適する。
【００２４】
本発明のヘッドカバーのシャフト保護部５の開閉部１５の深さ（ヘッド出入口１１から上方への切り込み長）は図１〜図３に示したものよりも長くても短くてもよい。開閉部１５の具体的寸法はヘッド１の大きさにもよるが、一例としては、シャフト保護部５の長さ約２５ｃｍ、ヘッド出入口１１の口径約４ｃｍ、ヘッドの容積が４００ｃｃ程度の場合、開閉部５の長さ（切り込み深さ）が３〜５ｃｍ程度であると、ヘッド出入口１１の口径がヘッド１に被せ易い広がりとなる。また、開閉部１５の形状は図１に示す裾広がりのＶ字状のスリット形状以外の形状、例えば、図９（ａ）のようにヘッド出入口１１に連通する下方開口の矩形、図９（ｂ）のようにヘッド出入口１１に連通する下方開口の半円形、図３（ｃ）のようにヘッド出入口１１に連通するV字形であって上縁部２０が円弧状の形状、その他の形状にすることができる。いずれの場合も開閉部１５が広がり易く、戻り易い形状にするのがよい。ニットの編み方、編み目模様なども開閉部１５が伸縮し易いものであればどのようなものであってもよく、ヘッドに被せ易くするためには横に伸び易い編み目が好ましい。
【００２５】
（使用例）
本発明のヘッドカバーを使用するには、図１０に示すように通常のヘッドカバーを被せる場合と同様に、ヘッド１の底面１７を上にしてクラブを立て、ヘッド１の先端にヘッドカバーのシャフト保護部５のヘッド出入口１１を宛がって被せる。この場合、開閉部１５をヘッド１の上面１８側にし、開閉部１５の両側を手で開いてヘッド出入口１１の口径を広げてヘッド１に被せ、シャフト保護部５をシャフト２に沿って下ろして図２のようにヘッド保護部３をヘッド１に、シャフト保護部５をシャフト２に被せると、ヘッドカバーの向きがヘッドの向きと一致してクラブに被さる。被せ終えた後に開閉部１５から手を離すと、ヘッド出入口１１の口径がニットの縮み特性で自動的に縮んで小さくなり、ヘッドカバーがクラブから不用意に抜けなくなる。また、窓９からヘッド１の番手表示１０が見える。
【００２６】
ヘッドカバーをクラブから取り外すときは、通常のヘッドカバーと同様に、片手でクラブを持ち、他方の手でヘッド保護部３を引いてヘッド１から外し、更に引いてシャフト保護部５をシャフト２から外し、ヘッドカバー全体をクラブから抜きとる。
【００２７】
（実施形態３）
ヘッド保護部３は伸縮性のある素材製であってもよく、例えばシャフト保護部５と同じ材質とすることもできる。シャフト保護部５は伸縮性のない素材製とか伸縮性に乏しい素材製とすることもでき、例えばヘッド保護部３と同じ材質とすることもできる。シャフト保護部５には開閉部１５が有っても無くてもよく、ある場合は、開閉部をジッパーで開閉したり、面状ファスナーで開閉可能としたりすることもできる。
【００２８】
（実施形態４）
前記実施形態はウッドクラブ用であるため細長のシャフト保護部５が形成されているが、アイアンクラブ用、ユーティリティクラブの場合はシャフト保護部５がない場合もある。
【図面の簡単な説明】
【００２９】
【図１】本発明のゴルフクラブ用ヘッドカバーの上面部全般を透明にした実施形態の斜視図。
【図２】図１のゴルフクラブ用ヘッドカバーを３番ウッドに被せた状態の斜視図。
【図３】本発明のゴルフクラブ用ヘッドカバーの上面部先端寄り部分を透明にした実施形態の斜視図。
【図４】本発明のゴルフクラブ用ヘッドカバーの上面部先端部を透明にした実施形態の斜視図。
【図５】本発明のゴルフクラブ用ヘッドカバーの局部を透明にした実施形態の正面図。
【図６】本発明のゴルフクラブ用ヘッドカバーの局部を透明にした実施形態の側面図。
【図７】（ａ）は本発明のゴルフクラブ用ヘッドカバーの先端部を透明にし、ヘッド保護部の下端部に伸縮部を設けた実施形態の平面図、（ｂ）はその側面図。
【図８】本発明のゴルフクラブ用ヘッドカバーのシャフト保護部の一例を示す斜視図。
【図９】（ａ）、（ｂ）、（ｃ）は本発明のゴルフクラブ用ヘッドカバーのシャフト保護部に形成した開閉部の異なる例の説明図。
【図１０】本発明のゴルフクラブ用ヘッドカバーの使用説明図。
【符号の説明】
【００３０】
１  ヘッド
２  シャフト
３  ヘッド保護部
４  装着部
５  シャフト保護部
６  上面部
７  両側面部
８  ヘッド内側部
９  窓
１０  番手表示
１１  ヘッド出入口
１５  開閉部
１９  先端部
２１  伸縮部
【図１】
2007185520.tif 000003
【図２】
2007185520.tif 000004
【図３】
2007185520.tif 000005
【図４】
2007185520.tif 000006
【図５】
2007185520.tif 000007
【図６】
2007185520.tif 000008
【図７】
2007185520.tif 000009
【図８】
2007185520.tif 000010
【図９】
2007185520.tif 000011
【図１０】
2007185520.tif 000012